(57)【要約】【課題】  異なる機器管理体系のエネルギー管理システムが同一機器を別の機器として地域エネルギー管理システムと連携したとしても、同一機器であることを検出して、地域の需給調整量を補正する地域エネルギー管理システムを提供する。【解決手段】  地域需給調整サーバ１０１にて、需要家管理サーバ１０２，１０３が機器を登録してきた時に、同じ需要家内もしくは同じ位置に属しているあらかじめ地域需給調整サーバ１０１に登録されている機器の中から、同じ機器であるかどうかを検出して、同じ機器があれば、需要家単位の実績情報を補正する。【選択図】図１
2013099182.tif 000002
【特許請求の範囲】
【請求項１】
電力機器の二重登録を検出する地域需給調整サーバであって、
各需要家に設置された需要家管理サーバから、需要家の需要家ＩＤ及び需要家が使用を開始する電力機器の機器種別ＩＤを含む機器登録情報を受信する機器登録／削除処理部と、
受信した前記機器登録情報を記憶する需要家機器登録情報記憶部と、
前記新に登録した機器登録情報と、前記需要家機器登録情報記憶部に記憶された複数の機器登録情報との実績情報を前記需要家管理サーバから取得し、複数の前記実績情報を比較し、相関があるかを判断する関連機器実績比較部を備える地域需給調整サーバ。
【請求項２】
請求項１に記載の地域需給調整サーバであって、
新たに登録した機器登録情報と、同一の需要家ＩＤであり、かつ同一の機器種別ＩＤである関連機器登録情報を前記機器登録情報から検索する関連機器検索部と、
検索した結果、前記関連機器登録情報を取得した場合、前記新に登録した機器登録情報と、前記関連機器登録情報とを監視対象として記憶する監視対象一時保持記憶部とを新に備え、
前記関連機器実績比較部は、前記新に登録した機器登録情報と、検索した機器登録情報との実績情報を前記需要家管理サーバから取得し、前記実績情報を比較し、相関があるかを判断する地域需給調整サーバ。
【請求項３】
請求項１又は２に記載の地域需給調整サーバであって、
更に需要家制御情報送信部を備え、
前記実績情報を比較し、相関があると判断した場合、
前記需要家制御情報送信部は、前記監視対象のうち、制御可能である機器を選択し、前記需要家管理サーバに制御コマンドを送信し、
更に、前記関連機器実績比較部は、
前記需要家管理サーバから実績情報を取得し、前記実績情報を比較し、相関があるかを判断する地域需給調整サーバ。
【請求項４】
請求項１から３のいずれか一つに記載の地域需給調整サーバであって、
更に需給情報提示部を備え、
相関があると判断した場合は、前記需要家機器登録情報記憶部に、前記新に登録した機器と前記相関がある機器とに関連機器ＩＤを更に付与し、記憶し、
前記需給情報提示部は、需給情報の提示要求を受信した場合は、同一の前記関連機器ＩＤが付与された機器は、一つの機器としてカウントし、実績情報を補正し、地域の実績情報として需給量を出力する地域需給調整サーバ。
【請求項５】
電力機器の二重登録を検出する地域需給調整方法であって、
地域需給調整サーバの機器登録／削除処理部が、各需要家に設置された需要家管理サーバから、需要家の需要家ＩＤ及び需要家が使用を開始する電力機器の機器種別ＩＤを含む機器登録情報を受信するステップと、
地域需給調整サーバの需要家機器登録情報記憶部が、受信した前記機器登録情報を記憶するステップと、
地域需給調整サーバの関連機器実績比較部が、前記新に登録した機器登録情報と、前記需要家機器登録情報記憶部に記憶された複数の機器登録情報との実績情報を前記需要家管理サーバから取得し、複数の前記実績情報を比較し、相関があるかを判断するステップとを備える地域需給調整方法。
【請求項６】
請求項５に記載の地域需給調整方法であって、
地域需給調整サーバの関連機器検索部が、新たに登録した機器登録情報と、同一の需要家ＩＤであり、かつ同一の機器種別ＩＤである関連機器登録情報を前記機器登録情報から検索するステップと、
検索した結果、前記関連機器登録情報を取得した場合、
地域需給調整サーバの監視対象一時保持記憶部が、前記新に登録した機器登録情報と、前記関連機器登録情報とを監視対象として記憶するステップとを新に備え、
地域需給調整サーバの前記関連機器実績比較部は、前記新に登録した機器登録情報と、検索した機器登録情報との実績情報を前記需要家管理サーバから取得し、前記実績情報を比較し、相関があるかを判断する地域需給調整方法。
【請求項７】
請求項５又は６に記載の地域需給調整方法であって、
前記実績情報を比較し、相関があると判断した場合、
地域需給調整サーバの前記需要家制御情報送信部が、前記監視対象のうち、制御可能である機器を選択し、前記需要家管理サーバに制御コマンドを送信するステップを更に備え、
更に、前記関連機器実績比較部が、
前記需要家管理サーバから実績情報を取得し、前記実績情報を比較し、相関があるかを判断するステップを備える地域需給調整方法。
【請求項８】
請求項５から７のいずれか一つに記載の地域需給調整サーバであって、
地域需給調整サーバの需給情報提示部が、
相関があると判断された場合は、前記需要家機器登録情報記憶部に、前記新に登録した機器と前記相関がある機器とに関連機器ＩＤを更に付与し、記憶し、
需給情報の提示要求を受信した場合は、同一の前記関連機器ＩＤが付与された機器は、一つの機器としてカウントし、実績情報を補正し、地域の実績情報として需給量を出力するステップを備える地域需給調整方法。
【発明の詳細な説明】
【技術分野】
【０００１】
本発明は、サーバへの同一機器の二重登録を検出して、適切な地域内の需給調整量を把握することができる方法に関する。
【背景技術】
【０００２】
地域のエネルギー管理を実現するために、ＩＣＴ技術を活用して、需要家側にある多様なエネルギー管理システム（ＨＥＭＳ：Ｈｏｍｅ  Ｅｎｅｒｇｙ  Ｍａｎａｇｅｍｅｎｔ  Ｓｙｓｔｅｍ、ＢＥＭＳ：Ｂｕｉｌｄｉｎｇ  ａｎｄ  Ｅｎｅｒｇｙ  Ｍａｎａｇｅｍｅｎｔ  Ｓｙｓｔｅｍなど）と連携して、地域単位で総合的に管理し、需給の調整を行う地域エネルギー管理システムが注目を集めている。
【０００３】
需要家側エネルギー管理システムは、システムごとに管理体系が異なり、たとえば、ＨＥＭＳの場合は、機器通信をとってもＥｃｈｏｎｅｔ（登録商標）やＺｉｇＢｅｅ（登録商標）やＪＥＭ−Ａなど様々な規格があり、規格毎に機器の管理体系が異なる。地域エネルギー管理システムはこれら多様な需要家側エネルギー管理システムと連携する必要がある。
【０００４】
ここで、需要家側エネルギー管理システムが、１つの需要家に複数あり、それぞれのエネルギー管理システムが独自の管理体系で機器のもとエネルギー管理を行っているが、たまたま同じ機器をそれぞれのエネルギー管理システムが管理してしまった場合、地域エネルギー管理システムでは、それぞれのエネルギー管理システムが別々に連携するため、別機器として管理してしまうという問題が発生する。
【０００５】
このような場合、地域エネルギー管理システムで管理するエネルギー量の総量が、事実とは異なるため、正確な地域需給調整ができなくなる。
【０００６】
これを解決するために特許文献１に記載の技術では、需要家側の機器すべてにＩＰｖ６アドレスを割り当て、別の需要家側エネルギー管理システムが同じ機器を管理していたとしても、ＩＰｖ６アドレスを見て、地域エネルギー管理システム側で同一であることを判断することができる。
【先行技術文献】
【特許文献】
【０００７】
【特許文献１】特開２００９−１７１８２３号公報
【発明の概要】
【発明が解決しようとする課題】
【０００８】
しかし、需要家側の機器全てにＩＰｖ６が導入されるかどうかは不明であり、仮に導入されるとしても、すぐには導入は進まず、何年も先となってしまう。そのため、機器が二重登録されていても検出できないという課題が生じる。二重登録が検出できないため、登録された機器に基づいて需給量を算出する場合、需給量が２倍に算出されてしまう。
【課題を解決するための手段】
【０００９】
本発明は、上記課題を解決するためのものであり、電力機器の二重登録を検出する地域需給調整サーバであって、各需要家に設置された需要家管理サーバから、需要家の需要家ＩＤ及び需要家が使用を開始する電力機器の機器種別ＩＤを含む機器登録情報を受信する機器登録／削除処理部と、受信した機器登録情報を記憶する需要家機器登録情報記憶部と、新たに登録した機器登録情報と、同一の需要家ＩＤであり、かつ同一の機器種別ＩＤである関連機器登録情報を機器登録情報から検索する関連機器検索部と、検索した結果、関連機器登録情報を取得した場合、新に登録した機器登録情報と、関連機器登録情報とを監視対象として記憶する監視対象一時保持記憶部と、新に登録した機器登録情報と、検索した機器登録情報との実績情報を取得し、実績情報を比較し、相関があるかを判断する関連機器実績比較部を備える。
【発明の効果】
【００１０】
本発明によれば、１つの機器を複数の需要家側エネルギー管理システムが別の管理体系で地域エネルギー管理システムと連携しても、地域としての需給調整量を正確に把握することができる。
【図面の簡単な説明】
【００１１】
【図１】エネルギーマネジメントシステムの全体概略を示す図
【図２（ａ）】地域需給調整サーバの需要家登録情報テーブルの一例を表す図
【図２（ｂ）】地域需給調整サーバの需要家機器登録情報テーブルの一例を表す図
【図３（ａ）】地域需給調整サーバの需要家実績情報テーブルの一例を表す図
【図３（ｂ）】地域需給調整サーバの監視対象機器一時保持テーブルの一例を表す図
【図４（ａ）】需要家管理サーバの機器登録情報テーブルの一例を表す図
【図４（ｂ）】需要家管理サーバのサーバ接続情報テーブルの一例を表す図
【図５】地域需給調整サーバに機器を登録するシーケンス図
【図６】地域需給調整サーバへ実績情報を送信するシーケンス図
【図７】関連機器の実績情報を比較する処理を表すシーケンス図
【図８】地域需給調整サーバから機器を削除するシーケンス図
【発明を実施するための形態】
【００１２】
以降、本発明を実施するための最良の形態（「本実施形態」という）を、図等を参照しながら詳細に説明する。図１〜図８は実施形態を示す図であり、これらの図において、同一の符号を付した部分は同一物を表し、基本的な構成および動作は同様であるものとする。
【００１３】
図１は、本発明で想定しているエネルギーマネジメントシステムの全体構成の概略図である。
【００１４】
エネルギーマネジメントシステムは、地域需給調整サーバ１０１と、地域需給調整サーバ１０１とネットワーク１５０を介して接続する同じ需要家内になる複数の需要家管理サーバ１０２、１０３と、需要家管理サーバ１０２と機器ネットワーク１５１を介して接続する家電やエネルギー関連機器（たとえば、分電盤１０６、ＴＶ１０７、エアコン１０８、ＰＣＳ１０９）と、もう一方の需要家管理サーバ１０３と機器ネットワーク１５０を介して接続する家電やエネルギー関連機器（たとえば、エアコン１０８、ＰＣＳ１０９、ＥＶ１１０）とで構成される。
【００１５】
地域需給調整サーバ１０１は、地域内にある需要家と需要家内にある機器を管理して、さらに、需要家ごとの電力情報や機器の状態を管理することで、地域内の電力需給を把握し、電力ひっ迫時やピークシフトなどを行うために需要家に対して制御情報を送信する機能を有するサーバであり、需要家機器登録/削除受信部１１３、実績情報受信部１１４、需要家制御情報送信部１１５、データ管理部１１６とネットワーク通信部１２１、地域需給調整処理部１２２から構成される。また、本発明の課題である、機器の二重登録に関して、検出するために、関連機器検索部１１１、関連機器実績比較処理部１１２を有する。
【００１６】
関連機器検索部１１１は、需要家が機器登録/削除時に、同じ需要家内に同じ機器がないかどうかを検索して、同じ機器らしい機器を特定したら、監視対象機器一時保持テーブル１２０に機器の情報を一時的に格納する機能であり、図５の機器登録シーケンスで処理フローについて述べる。
【００１７】
関連機器実績比較処理部１１２は、関連機器検索部１１１にて特定した監視対象機器一時保持テーブル１２０に格納されている機器に対して、需要家実績情報テーブル１１９に格納されている実績情報を比較して、同様らしいと特定した場合に、さらに需要家管理サーバ１０２，１０３に対して、制御コマンドを送信して、制御コマンド送信後に実績情報を比較して、監視対象機器一時保持テーブル１２０に格納されている機器が同じかどうかを特定する機能であり、図７の関連機器実績比較処理部で処理フローについて述べる。
【００１８】
需要家機器登録/削除受信部１１３は、需要家管理サーバ１０２，１０３が送信した機器登録情報および機器削除情報を受信して、需要家機器登録情報テーブル１１８を更新する機能である。
【００１９】
実績情報受信部１１４は、需要家管理サーバ１０２，１０３が送信した需要家および機器の実績情報を受信して、需要家実績情報テーブル１１９に登録する機能である。
【００２０】
需要家制御情報送信部１１５は、関連機器実績比較処理部１１２もしくは地域需給調整処理部１２２が制御コマンドを需要家管理サーバ宛てに送信する機能である。
【００２１】
データ管理部１１６は、地域需給調整サーバ１０１が保持するデータを管理する機能であり、需要家登録情報テーブル１１７、需要家機器登録情報１１８、需要家実績情報テーブル１１９、監視対象機器一時保持テーブル１２０を有する。
【００２２】
需要家登録情報テーブル１１７は、需要家管理サーバ１０２、１０３や機器がある需要家の情報を格納するテーブルである。内容は図２（ａ）にて後述する。
【００２３】
需要家機器登録情報テーブル１１８は、需要家管理サーバ１０２、１０３にて管理している機器の情報を格納するテーブルである。内容は図２（ｂ）にて後述する。
【００２４】
需要家実績情報テーブル１１９は、需要家管理サーバ１０２、１０３が送信した実績情報を格納するテーブルである。内容は図３（ａ）にて後述する。
【００２５】
監視対象機器一時保持テーブル１２０は、関連機器検索部１１１が特定した、同じ需要家内で同じ機器らしいと特定した機器の情報を格納するテーブルである。内容は図３（ｂ）にて後述する。
【００２６】
ネットワーク通信部１２１は、ネットワーク１５０を介して需要家管理サーバ１０２，１０３と通信するための機能である。
【００２７】
地域需給調整処理部１２２は、需要家登録情報テーブル１１９、需要家機器登録情報テーブル１１８、需要家実績情報テーブル１１９の情報と、電力会社の需給供給予測や、電気予報、天気予報などを加味して、地域内の需給調整を行い、必要に応じて、需要家管理サーバ１０２，１０３に対して、制御コマンドを送信する機能である。
【００２８】
需給情報提示部１２３は、各需要家の電力需給量をディスプレイなどに表示する。需給情報提示部は、需給情報の提示要求を受信した場合は、同一の前記関連機器ＩＤが付与された機器は、一つの機器としてカウントし、実績情報を補正し、地域の実績情報として需給量を出力する。
【００２９】
需要家管理サーバ１０２、１０３は、自身が接続している機器の状態を管理し、機器の状態を機器から取得して、地域需給調整サーバ１０１に送信する機能と、また地域需給調整サーバ１０１から制御情報を受信すると、機器に対して制御情報を送信する機能を有するサーバであり、ネットワーク通信部１３１、機器登録/削除処理部１３２、実績情報送信部１３３、サーバ制御受信部１３４、機器情報取得処理部１３５、機器制御部１３６、データ管理部１３７、機器通信部１４０から構成される。
【００３０】
ネットワーク通信部１３１は、ネットワーク１５０を介して地域需給調整サーバ１０１と通信するための機能である。
【００３１】
機器登録/削除処理部１３２は、需要家管理サーバ１０２、１０３が接続可能な機器を機器登録情報テーブル１３１に格納/削除し、さらに地域需給調整サーバ１０１に対して、登録/削除した機器情報を通知する機能である。
【００３２】
実績情報送信部１３３は、機器情報取得処理部１３５が取得した機器の実績情報を地域需給調整サーバ１０１に通知する機能である。
【００３３】
サーバ制御受信部１３４は、地域需給調整サーバ１０１からの制御コマンドを受信して、機器制御部１３６と機器通信部１４０を介して、機器を制御する機能である。
【００３４】
機器情報取得処理部１３５は、機器通信部１４０を介して機器から実績情報を取得する機能である。
【００３５】
機器制御部１３６は、機器通信部１４０を介して機器を制御する機能である。
【００３６】
データ管理部１３７は、需要家管理サーバ１０２、１０３が保持するデータを管理する機能であり、機器情報登録テーブル１３８、サーバ接続情報テーブル１３９を管理する機能である。
【００３７】
機器情報登録テーブル１３８は、需要家管理サーバ１０２、１０３が管理する機器の情報を格納するテーブルである。内容は図４（ａ）にて後述する。
【００３８】
サーバ接続情報テーブル１３９は、需要家管理サーバ１０２、１０３が地域需給調整サーバ１０１と接続するための情報を格納するテーブルである。内容は図４（ｂ）にて後述する。
【００３９】
機器通信部１４０は、機器ネットワーク１５１，１５２を介して機器と接続するための機能である。
【００４０】
ネットワーク１５０は、情報をやり取りするための通信網であり、主にインターネットである。
【００４１】
機器ネットワーク１５１、１５２は、需要家機器を接続するためのネットワークであり、ＬＡＮ（Ｌｏｃａｌ  Ａｒｅａ  Ｎｅｔｗｏｒｋ）や、Ｂｌｕｅｔｏｏｔｈ（登録商標）、ＺｉｇＢｅｅ（登録商標）、電力線通信、特定小電力無線、Ｅｃｈｏｎｅｔ（登録商標）などがある。
【００４２】
需要家管理サーバ１０２、１０３は、別の機器ネットワーク１５１、１５２を用いて家電やエネルギー関連機器と接続し、それぞれの需要家管理サーバ１０２、１０３が、独自の管理体系で家電やエネルギー関連機器を管理することが想定される。よって、図１に示すように、エアコン１０８やＰＣＳ１０９が２つのネットワークを保持していると、別の需要家管理サーバ１０２、１０３と接続でき、同じ機器が別の管理体系で管理される場合がある。
【００４３】
１つの機器が２の機器ネットワークに属する場合として、エアコン１０８の場合は、エアコン１０８が機器ネットワークとしてＥＣＨＯＮＥＴ通信機能を有し、電力や状態監視ができる場合と、電力センサなどを外付けにしてエアコン１０８の消費電力を管理し、その電力センサはＺｉｇＢｅｅにより機器ネットワークを形成する場合が考えられる。
【００４４】
このように、１つの機器が複数の需要家管理サーバ１０２、１０３に管理され、それぞれの需要家管理サーバ１０２、１０３が実績情報を地域需給調整サーバ１０１に送信すると、同じ機器であるにもかかわらず、別の機器として地域需給調整サーバ１０１に登録され、実際の実績情報よりも多い値となってしまう。地域需給調整サーバ１０１が需給調整を行う場合、計画した需給調整量とは異なる量しか調整されないため、正確な需給調整ができなくなる。
【００４５】
本発明は、上記問題を解決するものである。
【００４６】
次に、地域需給調整サーバ１０１と需要家管理サーバ１０２，１０３で保持しているテーブルの内容について図２〜図５に示す。
【００４７】
図２（ａ）は地域需給調整サーバ１０１内の需要家登録情報テーブル１１７の一例を示す図である。
【００４８】
需要家登録情報テーブル１１７は、需要家を一意に識別する需要家欄２０１と、需要家に属している需要家管理サーバを一意に識別する需要家サーバＩＤ欄２０２と、需要家の位置を格納する位置欄２０３と、その他の需給調整に必要な情報を格納する需要家オプション情報欄２０４から構成される。
【００４９】
これらの登録方法は、あらかじめ需要家が需要家管理サーバ１０２、１０３を購入時に、地域需給調整サーバ１０１と連携するために登録する際に、需要家から情報を取得して登録する方法がある。
【００５０】
図２（ｂ）は地域需給調整サーバ１０１内の需要家機器登録情報テーブル１１８の一例を示す図である。
【００５１】
需要家機器登録情報テーブル１１８は、需要家を一意に識別する需要家欄２１１と、需要家に属している需要家管理サーバを一意に識別する需要家サーバＩＤ欄２１２と、機器を一意に識別する機器ＩＤ欄２２３と、機器の種類を識別する機器種別欄２２４と、その機器で制御可能なコマンドを格納する制御可能コマンド欄２２５と、同じ需要家内で別の需要家サーバＩＤで同じ機器種別の中で、同じであると判断された機器を格納する関連機器ＩＤ欄２２６から構成される。
【００５２】
これらの登録方法は、需要家管理サーバ１０２，１０３が機器登録/削除処理部から送信してきた機器登録情報を地域需給調整サーバ１０１で受信し、登録する。
【００５３】
図３（ａ）は地域需給調整サーバ１０１内の需要家実績情報テーブル１１９の一例を示す図である。
【００５４】
需要家実績情報テーブル１１９は、需要家を一意に識別する需要家欄３０１と、機器を一意に識別する機器ＩＤ欄３０２と、機器の種類を識別する機器種別欄３０３と、実績情報を取得した時刻を格納する取得時刻欄３０４と、実績情報の種別を表すデータ種別欄３０５と、実績情報の実際の値を格納するデータ欄３０６と、実績情報の単位を格納するデータ単位欄３０７から構成される。
【００５５】
これらの登録方法は、需要家管理サーバ１０２、１０３が送信する実績情報を地域需給調整サーバ１０１が受信し、登録する。
【００５６】
図３（ｂ）は地域需給調整サーバ１０１内の監視対象機器一時保持テーブル１２０の一例を表す図である。
【００５７】
監視対象機器一時保持テーブル１２０は、機器を一意に識別する機器ＩＤ欄３１２と、機器の種類を識別する機器種別欄３１２、同じらしい機器のＩＤを格納する関連機器ＩＤ欄３１３と、機器が登録された時刻を格納する登録時刻欄３１４から構成される。
【００５８】
これらの登録方法は、関連機器検索部１１１が機器登録時に関連機器ＩＤを検索して登録する。また、削除方法は、関連機器実績比較処理部１１２にて、関連機器の比較を行った後に削除する。
【００５９】
図４（ａ）は需要家管理サーバ１０２，１０３内の機器登録情報テーブル１３８の一例を示す図である。
【００６０】
機器登録情報テーブル１３８は、機器を一意に識別する機器ＩＤ欄４０１と、機器の種類を識別する機器種別欄４０２と、その機器で制御可能なコマンドを格納する制御可能コマンド欄４０３で構成される。
【００６１】
これらの登録方法は、機器登録時にユーザが機器の特徴を見て登録することとし、特に機器ＩＤに関しては、ユーザが機器のＩＤをかぶらないように採番することとする。
【００６２】
図４（ｂ）は需要家管理サーバ１０２，１０３内のサーバ接続情報テーブル１３９の一例を示す図である。
【００６３】
サーバ接続情報テーブル１３９は、需要家を一意に識別する需要家欄４１１と、需要家管理サーバを一意に識別する需要家サーバＩＤ欄４１２と、地域需給調整サーバ１０１に接続するためのアドレスを格納する地域需給調整サーバアドレス欄４１３から構成される。
【００６４】
これらの登録方法は、地域需給調整サーバ１０１と契約時に登録することを想定する。
【００６５】
次に、需要家管理サーバ１０２、１０３が地域需給調整サーバ１０１に機器情報を登録するシーケンスを図５に示す。
【００６６】
まず、ユーザが機器に機器の種別やその機器が保持している制御コマンドを手動で入力し、機器がユーザが入力した機器登録情報を取得し、更に機器が機器登録情報を需要家管理サーバ１０２，１０３に送信する（ステップ５０１）。
機器から受信した機器登録情報に、需要家管理サーバ１０２，１０３の需要家機器登録／削除受信部１１３が機器ＩＤを採番する（ステップ５０２）。なお、機器ＩＤはユーザが採番してもよい。
これらの機器登録情報に加え、事前に需要家管理サーバ１０２，１０３のサーバ接続情報テーブル１３９に登録している需要家ＩＤと需要家サーバＩＤを需要家管理サーバ１０２，１０３の需要家機器登録／削除受信部１１３が地域需給調整サーバ１０１に送信する（ステップ５０３）。
そして、送信後に需要家管理サーバ１０２，１０３は、機器登録情報を機器登録情報テーブル１３８に格納する（ステップ５０４）。
需要家管理サーバ１０２，１０３が送信した機器登録情報を地域需給調整サーバ１０１の機器登録／削除処理部１３２が受信すると（ステップ５０５）、需要家機器登録情報テーブル１１８に需要家ＩＤ毎に機器登録情報を格納する（ステップ５０６）。
機器登録情報を格納後、地域需給調整サーバ１０１の機器登録／削除処理部１３２は、需要家機器登録情報テーブル１１８に需要家管理サーバ１０２，１０３から取得した需要家ＩＤと同じ需要家ＩＤで、かつ、機種種別２２４も同一であり、かつ取得した需要家管理サーバＩＤとは異なる需要家管理サーバＩＤの機器を検索して（ステップ５０７）、同じ需要家ＩＤ、同じ機器種別、異なる需要家管理サーバＩＤに該当するもの（関連機器ＩＤの候補）があれば（ステップ５０８）、新に登録した機器ＩＤと検索した機器ＩＤとを監視対象機器一時保持テーブル１２０に登録する（ステップ５０９）。もし、同じ機器種別のものがなければ、終了する。
ここで、ステップ５０７の同じ需要家の機器の検索方法として、もし需要家ＩＤが別であるが、同じ家に需要家管理サーバがある場合を想定して、別の需要家ＩＤでも、同じ住所の機器に関しては、検索対象としてもよい。
【００６７】
次に、需要家管理サーバ１０２、１０３が地域需給調整サーバ１０１に実績情報を送信するシーケンスを図６に示す。
まず、需要家管理サーバ１０２，１０３の機器情報取得処理部１３５は、機器が定期的に送信する電力や状態などの機器情報を受信し、需要家管理サーバ１０２，１０３に送信する（ステップ６０１）。ここで、需要家管理サーバ１０２，１０３が定期的に機器に対して実績情報取得要求を行い、機器が要求に応じて、電力や状態などの機器情報を送信しても良い。
需要家管理サーバ１０２，１０３の実績情報送信部１３３は、機器から実績情報を取得すると、サーバ接続情報テーブル１３９に登録している情報をもとに、地域需給調整サーバ１０１に送信する（ステップ６０２）。
地域需給調整サーバ１０１は、実績情報を受信すると（ステップ６０３）、需要家実績情報テーブル１１９に需要家毎に実績情報を格納する（ステップ６０４）。
【００６８】
次に、地域需給調整サーバ１０１のシーケンスを図７に示す。
このシーケンスは、監視対象機器一時保持テーブル１２０に登録されている機器が同一機器であるかどうかを確認するためのシーケンスである。
まず、関連機器実績比較処理部は、監視対象機器一時保持テーブル１２０から監視対象の機器ＩＤと登録時刻を読み込む（ステップ７０１）。関連機器実績比較処理部は、読み込んだ登録時刻から一定時間経過してから（ステップ７０２）、需要家実績情報テーブル１１９に蓄積されている監視対象の機器ＩＤの実績情報を取得して、相関があるかどうかを比較する（ステップ７０３）。
相関の比較方法は、各機器ＩＤに基づく実績情報の推移を最小二乗法により計算し、最小二乗法により求められた係数の誤差範囲が、ある一定範囲内かどうかを判断する方法などがある。
【００６９】
ここで、上記のように相関があるかを比較する機器を絞り込まなくても、新に登録した機器登録情報と、需要家機器登録情報記憶部に記憶された複数の機器登録情報とにおいて相関を比較しても良い。この場合は、新に登録した機器登録情報と、需要家機器登録情報記憶部に記憶された複数の機器登録情報との実績情報を前記需要家管理サーバから取得し、複数の前記実績情報を比較し、相関があるかを判断する。
【００７０】
もし、相関があれば、監視対象の機器のうち、制御可能な機器を選択して、需要家制御情報送信部は、需要家管理サーバ１０２，１０３に制御コマンドを送信する。制御コマンドは、電源のＯＮ／ＯＦＦを変更する、エアコンの場合は、設定温度を変更するなど、利用者になるべく影響の少ない範囲で制御コマンドを送ることとする。もしくは影響の少ない時間帯（たとえば深夜、平日の誰もいない昼間など）に制御コマンドを送信する。また、需要家管理サーバ１０２，１０３に制御コマンドを送信する方法として、需要家管理サーバ１０２，１０３がグローバルＩＰを保持していれば、地域需給調整サーバ１０１は直接グローバルＩＰを指定して送信することができるが、ローカルＩＰしか持っていない場合は、需要家管理サーバ１０２，１０３が実績情報や機器登録を送信してきた際の応答として、制御コマンドを送信するなどにより、送信することができる。
需要家管理サーバ１０２，１０３が制御コマンドを受信すると（ステップ７０４）、需要家管理サーバ１０２，１０３は所定の機器宛てに制御コマンドを送信する（ステップ７０６）。
【００７１】
機器は、制御コマンドを受信すると（ステップ７０７）、制御コマンドに従い状態を変化させる（ステップ７０８）。
地域需給調整サーバ１０１の関連機器実績比較処理部は、制御コマンドが機器まで到達して状態変化し、その情報が実績情報として需要家管理サーバ１０２，１０３から送信されるまで待機する（ステップ７０９）。
需要家管理サーバ１０２，１０３からの実績情報を受信すると、再び関連機器実績比較処理部は、実績情報を比較し相関の有無を比較する（ステップ７１０）。
この時の相関の比較方法は、最小二乗法による係数誤差に加えて、変化した時刻などのタイミングの誤差がある一定範囲以内である、などの判断基準も加味する。
ここで、相関ありと判断した場合、監視対象の機器は同一機器と判断し、需要家機器登録情報テーブル１１８の関連機器ＩＤ欄に２２６に関連機器ＩＤとして登録する（ステップ７１１）。最後に、監視対象機器一時保持テーブル１２０から特定した機器ＩＤを削除して終了する。更に、需給情報提示部は、外部から送信される需給情報の提示要求を受信した場合は、同一の前記関連機器ＩＤが付与された機器は、一つの機器としてカウントし、実績情報を補正し、地域の実績情報として需給量を出力しても良い。
もし、相関なしと判断すれば、別の機器と判断して、何もせず監視対象機器一時保持テーブル１２０から機器ＩＤを削除して終了する。
【００７２】
次に、需要家管理サーバ１０２、１０３が地域需給調整サーバ１０１に機器情報を削除するシーケンスを図８に示す。
【００７３】
まず、需要家管理サーバ１０２，１０３は、機器から機器削除要求を受信する（ステップ８０１）。たとえば、ユーザが削除したい機器ＩＤを手動で入力する方法がある。ステップ８０１により入力した機器削除情報を地域需給調整サーバ１０１に送信し（ステップ８０２）、送信後に機器登録情報テーブル１３８から機器登録情報を削除する（ステップ８０３）。機器削除情報送信の際は、需要家ＩＤと需要家サーバＩＤも付加して送信することとする。
【００７４】
地域需給調整サーバ１０１は、需要家管理サーバ１０２，１０３が送信した機器削除情報を受信すると（ステップ８０４）、需要家機器登録情報テーブル１１８から機器登録情報を削除する（ステップ８０５）。
【００７５】
機器登録情報を削除する際、需要家機器登録情報テーブル１１８に関連需要家ＩＤが登録されていれば（ステップ８０６）、関連機器ＩＤの登録情報が格納されている需要家機器登録情報テーブル１１８のレコードから、関連機器ＩＤを削除する。
【００７６】
以上より、１つの機器が複数の需要家管理サーバ１０２、１０３で管理され、それぞれの需要家管理サーバ１０２、１０３が別の機器として実績情報を地域需給調整サーバ１０１に送信してきても、地域需給調整サーバ１０１内では、需要家管理サーバ１０２，１０３が機器を登録してきた時に、同じ需要家内もしくは同じ位置に属しているあらかじめ地域需給調整サーバ１０１に登録されている機器の中から、同じ機器であるかどうかを検出して、同じ機器の場合に、需要家単位の実績情報を補正し、正確な需給調整を行えるようにする。
【００７７】
また、一方の需要家管理サーバに対して、実績情報送信不要の通知を行うことで、必要以上の実績情報の登録を防ぎ、需要家実績情報テーブル１１９の使用量削減を行え、通信トラフィックの軽減、地域需給調整サーバ１０１の受信処理負荷軽減にもつながる。
【００７８】
実績情報送信不要の通知を行う需要家管理サーバの選択方法は、実績情報の精度や需要家管理サーバの実績情報送信頻度、需要家管理サーバが管理している機器の数などから、より負荷が軽減できて、実績情報の精度が良いものを選択することとする。
【００７９】
また、実績情報の送信頻度、またはタイミングをずらすようにそれぞれの需要家管理サーバに通知することで、地域需給調整サーバ１０１では実績情報を細かく監視することができ、需給調整の際の精度向上につなげることもできる。
【符号の説明】
【００８０】
１０１          地域需給調整サーバ
１０２、１０３  需要家管理サーバ
１０６          分電盤
１０７          ＴＶ
１０８          エアコン
１０９          ＰＣＳ（ＰＶ）  
１１０          ＥＶ
１１１          関連機器検索部
１１２          関連機器実績比較処理部
１１３          需要家機器登録/削除受信部
１１４          実績情報受信部
１１５          需要家制御情報送信部
１１６          データ管理部
１１７          需要家登録情報テーブル
１１８          需要家機器登録情報テーブル
１１９          需要家実績情報テーブル
１２０          監視対象機器一時保持てーブル
１２１          ネットワーク通信部
１２２          地域需給調整処理部
１３１          ネットワーク通信部
１３２          機器登録/削除処理部
１３３          実績情報送信部
１３４          サーバ制御受信部
１３５          機器情報取得処理部
１３６          機器制御部
１３７          データ管理部
１３８          機器登録情報テーブル
１３９          サーバ接続情報テーブル
１４０          機器通信部
１５０          ネットワーク
１５１、１５２  機器ネットワーク
【図１】
2013099182.tif 000003
【図２（ａ）】
2013099182.tif 000004
【図２（ｂ）】
2013099182.tif 000005
【図３（ａ）】
2013099182.tif 000006
【図３（ｂ）】
2013099182.tif 000007
【図４（ａ）】
2013099182.tif 000008
【図４（ｂ）】
2013099182.tif 000009
【図５】
2013099182.tif 000010
【図６】
2013099182.tif 000011
【図７】
2013099182.tif 000012
【図８】
2013099182.tif 000013